(57)【特許請求の範囲】
【請求項１】
液状の内容物が収容され、内容物を吐出する吐出口が形成された容器本体と、
前記容器本体内に容器軸方向に沿って延設され、外周面に雄ねじ部が形成された雄ねじ軸と、
前記容器本体内に設けられて前記雄ねじ軸に螺着され、前記雄ねじ軸の容器軸回りの回転にともなって、前記容器本体内を容器軸方向に沿って移動する中皿と、を備え、
前記中皿は、前記容器本体に対して容器軸回りの回転が規制されており、
前記中皿は、
前記雄ねじ軸の前記雄ねじ部に螺着する雌ねじ部と、
前記雌ねじ部を形成する材料より軟らかく弾性変形可能な材料で形成され、前記雄ねじ軸の外周に嵌合するとともに、前記雄ねじ部に対して容器軸回りに回転自在に当接する内周シール部、及び、前記雌ねじ部を形成する材料より軟らかく弾性変形可能な材料で形成され、前記容器本体の内周に摺動自在に嵌合する外周シール部が一体に形成されたシール体と、を備え、
前記内周シール部の内周面の半径は、前記雄ねじ軸の外周のうち、最も径方向内側に位置する部分の半径以下であることを特徴とする液状内容物の回転繰出容器。
【請求項２】
請求項１に記載の液状内容物の回転繰出容器であって、
容器軸に垂直な横断面視で、前記容器本体及び前記中皿が、非真円形状に形成されて互いに嵌合していることを特徴とする液状内容物の回転繰出容器。
【請求項３】
請求項１又は２に記載の液状内容物の回転繰出容器であって、
前記雄ねじ軸の外周には、
前記雄ねじ部と、
前記雄ねじ部よりも半径が小さく、雄ねじ形状が付与されていない非雄ねじ部と、が容器軸回りに沿って交互に配置されていることを特徴とする液状内容物の回転繰出容器。
【請求項４】
請求項１〜３のいずれか一項に記載の液状内容物の回転繰出容器であって、
前記内周シール部及び前記外周シール部は、前記雌ねじ部よりも容器軸方向に沿う前記吐出口側に配置されていることを特徴とする液状内容物の回転繰出容器。
【請求項５】
請求項１〜４のいずれか一項に記載の液状内容物の回転繰出容器であって、
前記内周シール部及び前記外周シール部は、前記中皿のうち、少なくとも容器軸方向に沿う前記吐出口側の端部に配置されていることを特徴とする液状内容物の回転繰出容器。
【発明の詳細な説明】
【技術分野】
【０００１】
本発明は、液状内容物の回転繰出容器に関する。
【背景技術】
【０００２】
従来、例えば下記特許文献１に示されるような、回転繰出容器が知られている。回転繰出容器は、内容物が収容され、内容物を吐出する吐出口が形成された容器本体と、容器本体内に容器軸方向に沿って延設された雄ねじ軸と、容器本体内に設けられて雄ねじ軸に螺着され、雄ねじ軸の容器軸回りの回転にともなって、容器本体内を容器軸方向に沿って移動する中皿と、を備えている。雄ねじ軸の外周面には雄ねじ部が形成され、中皿の内周面には雌ねじ部が形成されていて、雄ねじ部と雌ねじ部とが螺着されている。
この種の回転繰出容器では、例えば液状、クリーム状又は半固形状等の内容物が容器本体に収容される。
【先行技術文献】
【特許文献】
【０００３】
【特許文献１】特開２０１４−８７５４７号公報
【発明の概要】
【発明が解決しようとする課題】
【０００４】
しかしながら、従来の回転繰出容器では、容器本体に液状の内容物（特に粘度の低い液体等）を収容した場合に、液漏れが生じるおそれがあった。
【０００５】
本発明は、このような事情に鑑みてなされたものであって、液漏れを防止することができる液状内容物の回転繰出容器を提供することを目的としている。
【課題を解決するための手段】
【０００６】
本発明の一態様に係る液状内容物の回転繰出容器は、液状の内容物が収容され、内容物を吐出する吐出口が形成された容器本体と、前記容器本体内に容器軸方向に沿って延設され、外周面に雄ねじ部が形成された雄ねじ軸と、前記容器本体内に設けられて前記雄ねじ軸に螺着され、前記雄ねじ軸の容器軸回りの回転にともなって、前記容器本体内を容器軸方向に沿って移動する中皿と、を備え、前記中皿は、前記容器本体に対して容器軸回りの回転が規制されており、前記中皿は、前記雄ねじ軸の前記雄ねじ部に螺着する雌ねじ部と、前記雌ねじ部を形成する材料より軟らかく弾性変形可能な材料で形成され、前記雄ねじ軸の外周に嵌合するとともに、前記雄ねじ部に対して容器軸回りに回転自在に当接する内周シール部、及び、前記雌ねじ部を形成する材料より軟らかく弾性変形可能な材料で形成され、前記容器本体の内周に摺動自在に嵌合する外周シール部が一体に形成されたシール体と、を備え、前記内周シール部の内周面の半径は、前記雄ねじ軸の外周のうち、最も径方向内側に位置する部分の半径以下であることを特徴とする。
【０００７】
この液状内容物の回転繰出容器では、雄ねじ軸の雄ねじ部に螺着する雌ねじ部が中皿に備えられており、この中皿は、容器本体に対して容器軸回りに回転することが規制されている。このため、容器本体に対して雄ねじ軸が容器軸回りに回転させられると、ねじの作用により中皿は、容器本体内を容器軸方向に沿って吐出口側へ向けて安定して移動することができ、吐出口から液状の内容物が吐出される。
【０００８】
そして、本発明の液状内容物の回転繰出容器によれば、中皿が、雌ねじ部よりも軟らかい例えばエラストマー等の弾性変形可能な材料（軟質材）からなる内周シール部を備えている。内周シール部は、雄ねじ軸の外周に嵌合し、雄ねじ部に対して容器軸回りに回転自在に当接しており、かつ、内周シール部の内周面の半径が、雄ねじ軸の外周のうち、最も径方向内側に位置する部分の半径以下である。
【０００９】
このように、中皿の内周シール部が弾性変形可能な軟質材で形成されていると、内周シール部は、雄ねじ軸の外周に対して弾性変形した状態で圧接される。つまり、内周シール部が、雄ねじ軸の外周の雄ねじ部や面カット等の形状に対応して弾性変形させられて、該内周シール部の内周面が全周にわたって、雄ねじ軸の外周面に密接する。これにより、中皿と雄ねじ軸との間を通して、液状内容物が漏れ出るようなことが防止される。
【００１０】
さらに、内周シール部が、雄ねじ軸の外周の雄ねじ部の形状に対応して、雌ねじ部のような形状に弾性変形させられることにより、該内周シール部に雌ねじ部としての機能を付与することができる。従って、上述した液漏れ防止の効果を奏しつつ、中皿の容器軸方向への移動をより安定化させることができる。
【００１１】
また、中皿の外周シール部が弾性変形可能な材料（軟質材）で形成されているので、外周シール部は、容器本体の内周に対して弾性変形した状態で圧接される。つまり、外周シール部が、容器本体の内周の形状に対応して弾性変形させられて、該外周シール部の外周面が全周にわたって、容器本体の内周面に密接する。これにより、中皿と容器本体との間を通して、液状内容物が漏れ出るようなことが防止される。
【００１２】
以上より本発明によれば、容器本体に液状の内容物（特に粘度の低い液体等）を収容しても、液漏れを防止することが可能である。
【００１３】
また、上記液状内容物の回転繰出容器において、容器軸に垂直な横断面視で、前記容器本体及び前記中皿が、非真円形状に形成されて互いに嵌合していることが好ましい。
【００１４】
この場合、簡単な構成により、容器本体に対する中皿の容器軸回りの回転を確実に規制することができる。
具体的に、例えば上記構成とは異なり、容器本体及び中皿を、容器軸に垂直な横断面視で真円形状に形成して互いに嵌合させ、容器本体と中皿との間に、容器軸方向に延びるリブと溝とを係合させた回り止め手段等を設けるような場合に比べて、上記構成によれば構造を簡素化できる。
【００１５】
また、上記液状内容物の回転繰出容器において、前記雄ねじ軸の外周には、前記雄ねじ部と、前記雄ねじ部よりも半径が小さく、雄ねじ形状が付与されていない非雄ねじ部と、が容器軸回りに沿って交互に配置されていることが好ましい。
【００１６】
この場合、雄ねじ軸に、雄ねじ部と非雄ねじ部とが容器軸回りに交互に形成されているので、内周シール部に、雄ねじ部に螺着する雌ねじ部としての機能を付与しつつ、非雄ねじ部との間で内周シール部のシール性を高めることができる。
【００１７】
また、雄ねじ軸を割り型により成形することが可能になり、成形性がよい。
具体的に、例えば上記構成とは異なり、雄ねじ軸の外周に全周にわたって雄ねじ部が形成されている場合には、成形型から雄ねじ軸を取り外すために、雄ねじ軸をその中心軸回りに回転させなければならない。一方、上記構成によれば、非雄ねじ部に割り型を摺接させつつスライド移動させることができるので、雄ねじ軸を成形型から容易に取り外すことができ、成形性に優れる。
【００１８】
また、上記液状内容物の回転繰出容器において、前記内周シール部及び前記外周シール部は、前記雌ねじ部よりも容器軸方向に沿う前記吐出口側に配置されていることが好ましい。
【００１９】
この場合、雌ねじ部が、中皿のうち内周シール部及び外周シール部よりも容器軸方向に沿う吐出口とは反対側に配置され、つまり液状内容物に接触しにくい位置に配置されるため、雌ねじ部と雄ねじ部との螺着の繰り返しによる液状内容物への影響を抑えることができる。
【００２０】
また、内周シール部及び外周シール部が、中皿のうち雌ねじ部よりも容器軸方向に沿う吐出口側に配置され、つまり液状内容物に近い位置に配置されるため、内周シール部及び外周シール部のシール機能により、雌ねじ部のねじ作用が良好に維持される。
【００２１】
また、上記液状内容物の回転繰出容器において、前記内周シール部及び前記外周シール部は、前記中皿のうち、少なくとも容器軸方向に沿う前記吐出口側の端部に配置されていることが好ましい。
【００２２】
この場合、内周シール部及び外周シール部が、中皿のうち少なくとも容器軸方向に沿う吐出口側の端部に配置され、つまり最も液状内容物に近い位置に配置されるため、内周シール部及び外周シール部によるシール機能がより確実に奏功される。
【発明の効果】
【００２３】
本発明の液状内容物の回転繰出容器によれば、液漏れを防止することができる。
【図面の簡単な説明】
【００２４】
【図１】本発明の一実施形態に係る液状内容物の回転繰出容器を示す、（ａ）上面図、（ｂ）正面図である。
【図２】液状内容物の回転繰出容器においてキャップを取り外した状態を示す、（ａ）上面図、（ｂ）正面図である。
【図３】液状内容物の回転繰出容器の縦断面図（正断面図）である。
【図４】液状内容物の回転繰出容器の縦断面図（側断面図）である。
【図５】図３のＡ部を拡大して示す図である。
【図６】液状内容物の回転繰出容器の組み立て手順を説明する図である。
【図７】液状内容物の回転繰出容器の組み立て手順を説明する図である。
【図８】液状内容物の回転繰出容器の組み立て手順を説明する図である。
【発明を実施するための形態】
【００２５】
以下、本発明の一実施形態に係る液状内容物の回転繰出容器１について、図面を参照して説明する。
図１（ａ）、（ｂ）、図３及び図４に示されるように、本実施形態の液状内容物の回転繰出容器１は、液状の内容物が収容され、内容物を吐出する吐出口２が形成された容器本体３と、容器本体３内に容器軸Ｏ方向に沿って延設され、外周面に雄ねじ部１９が形成された雄ねじ軸４と、容器本体３内に設けられて雄ねじ軸４に螺着され、容器本体３に対する雄ねじ軸４の容器軸Ｏ回りの回転にともなって、容器本体３内を容器軸Ｏ方向に沿って移動する中皿５と、雄ねじ軸４に対して容器軸Ｏ回りに回転不能に連結され、容器本体３の容器軸Ｏ方向に沿う吐出口２とは反対側に隣接配置される操作部６と、容器本体３に着脱可能に装着されて吐出口２を覆うキャップ７と、を備えている。
【００２６】
容器本体３、中皿５、操作部６及びキャップ７は、それぞれ筒状をなしている。また雄ねじ軸４は、軸状をなしている。容器本体３、雄ねじ軸４、中皿５、操作部６及びキャップ７は、それぞれの中心軸線が共通軸上に位置した状態で配設されている。本実施形態では、この共通軸を容器軸Ｏといい、容器軸Ｏ方向（上下方向）に沿って操作部６からキャップ７へ向かう方向を上方、キャップ７から操作部６へ向かう方向を下方という。また、容器軸Ｏ方向から見た平面視で容器軸Ｏに直交する方向を径方向といい、容器軸Ｏ回りに周回する方向を周方向という。
【００２７】
図２（ａ）、（ｂ）、図３及び図４に示されるように、容器本体３は、容器軸Ｏ方向に延びる本体筒８と、本体筒８の上端部に配設され、吐出口２が形成された塗布筒９と、本体筒８の下端部に配設され、雄ねじ軸４を周方向に回転自在に支持する軸支持筒１０と、を備えている。
【００２８】
本体筒８は、有頂筒状をなしており、周壁と頂壁とを有している。容器軸Ｏに垂直な断面視（横断面視）で、本体筒８の周壁は、少なくともその内周面が非真円形状をなしている。図２（ａ）、（ｂ）に示されるように、本実施形態の例では本体筒８の周壁が、多角形筒状に形成されている。
【００２９】
具体的に、容器軸Ｏに垂直な断面視で、本体筒８は八角形状をなしており、互いに平行に延びる一対の長辺と、長辺に垂直に延び、互いに平行な一対の短辺と、長辺と短辺との間に配置され、長辺及び短辺に対して傾斜して延びるとともに鈍角に交差する４つのコーナ辺と、を有している。図示の例では、容器の横断面視で、周方向に隣接する各辺同士の連結部分が、径方向外側へ向けて凸となる小Ｒ形状とされている。本実施形態の例では、容器軸Ｏに垂直な断面視で、本体筒８の長辺、短辺、コーナ辺が、この順に短くされている。つまり、容器の横断面視において本体筒８は、長辺が延在する長手方向（長軸方向）の長さ（外形寸法）が長く、短辺が延在する短手方向（短軸方向）の長さが短い、扁平八角形状をなしている。
【００３０】
本体筒８の周壁の外周面のうち、上端部には、該上端部以外の部位よりも径方向内側に位置するキャップ嵌合部１１が形成されている。キャップ嵌合部１１も、容器の横断面視で八角形状（多角形筒状）をなしている（図２（ａ）を参照）。キャップ嵌合部１１は、キャップ７の周壁の下端開口部内に嵌合される。
【００３１】
図３及び図４において、本体筒８の周壁の内周面のうち、下端部には、該下端部以外の部位よりも径方向外側に位置する軸支持筒嵌合部１２が形成されている。軸支持筒嵌合部１２内には、軸支持筒１０の周壁が嵌合する。軸支持筒嵌合部１２の内周面には、径方向外側へ向けて窪む内周凹部３５が形成されている。軸支持筒嵌合部１２に対して軸支持筒１０が嵌合したときに、本体筒８の周壁の内周面と、軸支持筒１０の周壁の内周面とは、互いに略面一に配置される。
【００３２】
本体筒８の頂壁には、装着筒１３が上方に向けて突設されている。装着筒１３には、塗布筒９が取り付けられる。また、本体筒８の頂壁には、容器の上面視で例えばＴ字状をなすリブ１４が複数形成されている。これらのリブ１４は、本体筒８の頂壁上に配設された塗布筒９の位置合わせ及び抜け防止等に用いられる。
【００３３】
塗布筒９は、有頂筒状をなしており、頂壁と周壁とを有している。本実施形態の例では、塗布筒９の頂壁の上面と周壁の外周面との接続部分が、凸曲面状に形成されている。図２（ａ）に示される容器の上面視において、塗布筒９における長手方向（長軸方向。図２（ａ）における左右方向）の長さ（外形寸法）は、本体筒８における長手方向の長さよりも小さい。またこの上面視で、塗布筒９における短手方向（短軸方向。図２（ａ）における上下方向）の長さ（外形寸法）は、本体筒８における短手方向の長さよりも小さい。
【００３４】
図３及び図４において、塗布筒９の頂壁には、吐出筒１５が垂下設されている。吐出筒１５は、装着筒１３内に嵌合しており、吐出筒１５の内周面が、吐出口２とされている。塗布筒９の頂壁の下面は、装着筒１３の上端開口縁に対してその上方から当接している。塗布筒９の頂壁における吐出筒１５の径方向外側には、複数の係合爪１６が垂下設されている。係合爪１６には内周突起が形成されており、該内周突起は、装着筒１３の外周突起に対してその下方から係合する。つまり塗布筒９は、本体筒８に対して上下方向及び径方向への移動が規制された状態で装着されている。
また、塗布筒９の周壁の内周面には、リブ１４が当接する。これにより塗布筒９は、本体筒８に対して周方向への移動も規制された状態で装着されている。
【００３５】
軸支持筒１０は、有底筒状をなしており、周壁と底壁とを有している。容器軸Ｏに垂直な断面視で、軸支持筒１０の周壁は、本体筒８の周壁の形状に対応する非真円形状をなしている。本実施形態の例では容器の横断面視において、本体筒８の周壁が八角形状（多角形筒状）に形成されているのに対応して、軸支持筒１０の周壁も八角形状（多角形筒状）に形成されている。
【００３６】
軸支持筒１０の周壁には、径方向外側へ向けて突出する外周凸部３６が形成されている。軸支持筒１０の周壁が本体筒８の周壁の軸支持筒嵌合部１２内に嵌合したときに、軸支持筒１０の外周凸部３６と、軸支持筒嵌合部１２の内周凹部３５とが、互いに係合する。
【００３７】
軸支持筒１０の底壁のうち、径方向の外縁部には、該軸支持筒１０の周壁よりも径方向外側に突出するとともに周方向に延びる環状のフランジ１７が形成されている。フランジ１７は、本体筒８の周壁の下端開口縁に対してその下方から当接している。フランジ１７の外周面と、本体筒８の周壁の外周面とは、互いに略面一に配置されている。軸支持筒１０の底壁のうち、フランジ１７は、該フランジ１７以外の部位よりも下方に向けて突出するように配置される。
【００３８】
軸支持筒１０の底壁のうち、径方向の内縁部には、周方向に互いに間隔をあけて軸支持爪１８が複数形成されている。軸支持爪１８は、径方向内側へ向かうに従い漸次上方に向かって傾斜して延びている。これらの軸支持爪１８の上端部は、雄ねじ軸４の筒部２１に摺接して、該雄ねじ軸４を回転自在に支持している。軸支持筒１０の底壁に対してその下方から雄ねじ軸４を挿通し、該雄ねじ軸４の後述する筒部２１を装着する際に、軸支持爪１８は弾性変形可能とされている。
軸支持筒１０は、本体筒８の周壁に対して、上下方向、径方向及び周方向への移動が規制された状態で装着されている。
【００３９】
雄ねじ軸４は、雄ねじ部１９を有する軸部２０と、軸部２０の下端部に接続された筒部２１と、を備えている。
図３及び図４に示されるように、軸部２０の外周には、雄ねじ部１９と、雄ねじ部１９よりも半径が小さく、雄ねじ形状が付与されていない非雄ねじ部２２と、が周方向に沿って交互に配置されている。本実施形態の例では、容器の横断面視において、軸部２０の外周のうち、容器軸Ｏを中心に互いに１８０°回転対称に位置する一対の部分が、面カットされたように平面状に形成されており、これらの平面部分が非雄ねじ部２２とされている。また、容器の横断面視において、軸部２０の外周のうち一対の非雄ねじ部２２以外の部位に、一対の雄ねじ部１９が、容器軸Ｏを中心に互いに１８０°回転対称位置に形成されている。本実施形態の例では、雄ねじ部１９が、二条ねじである。
【００４０】
図示の例では、軸部２０の外周のうち、本体筒８の周壁の長手方向（図３における左右方向）を向く両端部に、一対の雄ねじ部１９が配置され、本体筒８の周壁の短手方向（図４における左右方向）を向く両端部に、一対の非雄ねじ部２２が配置されている。
また図３に示される例では、軸部２０の上端部に、雄ねじ部１９が形成されていない。軸部２０の上端は、本体筒８の頂壁よりも下方に位置している。
【００４１】
筒部２１は、有頂筒状をなしており、頂壁と周壁とを有している。筒部２１の外径は、軸部２０の外径よりも大きい。筒部２１の頂壁上には、軸部２０が立設されている。筒部２１の周壁の外周面のうち、上端部は、該上端部以外の部位よりも大径に形成されている。筒部２１の周壁の外周面の上端部と、該上端部以外の部位との間には、下方を向いて周方向に延びる環状の係止面２３が形成されている。係止面２３に対してはその下方から、軸支持爪１８の上端が周方向に摺動可能に当接している。また、筒部２１の周壁の外周面の上端部以外の部位（係止面２３よりも下方に位置する部位）に対しては、軸支持爪１８の上端内周部が周方向に摺動可能に当接している。
【００４２】
操作部６は、有頂筒状をなしており、頂壁と周壁とを有している。本実施形態の例では、操作部６が、雄ねじ軸４に一体に形成されて、容器本体３の下方に隣接配置されている。操作部６の頂壁上には、雄ねじ軸４の筒部２１の周壁が立設されている。操作部６の頂壁の上面のうち、径方向の外縁部は、フランジ１７の下面に接近配置されている。
【００４３】
容器軸Ｏに垂直な断面視で、操作部６の周壁は、本体筒８の周壁の形状に対応する非真円形状をなしている。本実施形態の例では容器の横断面視において、本体筒８の周壁が八角形状（多角形筒状）に形成されているのに対応して、操作部６の周壁も八角形状（多角形筒状）に形成されている。操作部６の周壁の外周面と、本体筒８の周壁の外周面とは、互いに略面一に配置される。
容器本体３に対して操作部６を容器軸Ｏ回りの周方向に回転させることにより、容器本体３に対して雄ねじ軸４が周方向に回転する。
【００４４】
図３〜図５に示されるように、中皿５は、雄ねじ軸４の雄ねじ部１９に螺着する雌ねじ部２４と、雌ねじ部２４を形成する材料より軟らかく弾性変形可能な材料で形成され、雄ねじ軸４の外周に嵌合するとともに、雄ねじ部１９に対して周方向に回転自在に当接する内周シール部２５と、雌ねじ部２４を形成する材料より軟らかく弾性変形可能な材料で形成され、容器本体３の内周に摺動自在に嵌合する外周シール部２６と、を備えている。
また中皿５は、中皿本体２７と、中皿本体２７に配設され、内周シール部２５及び外周シール部２６を有するシール体２８と、中皿本体２７に配設され、雌ねじ部２４が形成された雌ねじ筒２９と、を備えている。
【００４５】
中皿本体２７は、有頂筒状をなしており、頂壁と周壁とを有している。本実施形態の例では、中皿本体２７の頂壁上に、容器の横断面視における本体筒８の長手方向（図３における左右方向）に互いに間隔をあけて、一対の係合筒３０が立設されている。係合筒３０は、有頂筒状に形成されている。中皿本体２７の頂壁の上面において、一対の係合筒３０は、容器軸Ｏを中心に互いに１８０°回転対称となる位置に形成されている。
【００４６】
中皿本体２７の頂壁には、容器の横断面視における本体筒８の長手方向に互いに間隔をあけて、一対の雌ねじ筒支持爪３１が垂下設されている。中皿本体２７の頂壁の下面において、一対の雌ねじ筒支持爪３１は、容器軸Ｏを中心に互いに１８０°回転対称となる位置に形成されている。
【００４７】
中皿本体２７の頂壁には、容器軸Ｏ上に位置して該頂壁を上下方向に貫通する貫通孔３２が形成されている。貫通孔３２の内径は、軸部２０の外径（最大径）よりも大きくされている。貫通孔３２には、雄ねじ軸４の軸部２０が挿通される。
【００４８】
中皿本体２７の周壁は、少なくともその外周面が、本体筒８の周壁の内周面の形状に対応する非真円形状をなしている。本実施形態の例では容器の横断面視において、本体筒８の周壁が八角形状（多角形筒状）に形成されているのに対応して、中皿本体２７の周壁も八角形状（多角形筒状）に形成されている。
【００４９】
中皿本体２７の周壁の外周面のうち、下端部は、下方に向かうに従い漸次径方向外側へ向けて傾斜して延びており、容器本体３の内周面に摺動可能に当接している。
図３及び図４に示される例では、中皿本体２７の周壁の外周面のうち、下端部以外の部位と、容器本体３の内周面との間には、若干の隙間が設けられている。
【００５０】
シール体２８は、例えばエラストマー等の弾性変形可能な材料（軟質材）からなり、板状に形成されている。容器軸Ｏに垂直な断面視で、シール体２８の外周は、本体筒８の周壁の内周形状に対応する非真円形状をなしている。本実施形態の例では容器の横断面視において、本体筒８の周壁が八角形状（多角形筒状）に形成されているのに対応して、シール体２８の外周も八角形状（多角形状）に形成されている。
【００５１】
容器軸Ｏに垂直な横断面視で、容器本体３及び中皿５は、非真円形状に形成されて互いに嵌合している。具体的には、容器の横断面視で非真円形状とされた中皿本体２７の周壁の外周面（の下端部）が、これに対応する非真円形状とされた容器本体３の内周面に対して、上下方向に摺動自在に嵌合している。また、容器の横断面視で非真円形状とされたシール体２８の外周面（の外周シール部２６）が、これに対応する非真円形状とされた容器本体３の内周面に対して、上下方向に摺動自在に嵌合している。これにより中皿５は、容器本体３に対して周方向への回転が規制されている。
【００５２】
シール体２８は、中皿本体２７の頂壁上に配設されている。シール体２８は、中皿本体２７に一体にインサート成形されていてもよいし、或いは、シール体２８を中皿本体２７とは別体に成形しておき、中皿本体２７に取り付けてもよい。シール体２８と中皿本体２７とを一体にインサート成形した場合には、これらを互いに強固に接着することができ、容器本体３内において中皿５が上下動したときに、中皿本体２７からシール体２８が分離するような不具合を効果的に防止できる。
【００５３】
シール体２８には、容器軸Ｏ上に位置して該シール体２８を上下方向（厚さ方向）に貫通する孔状の内周シール部２５と、容器の横断面視における本体筒８の長手方向（図３における左右方向）に互いに間隔をあけて配置され、シール体２８を上下方向に貫通する一対の係合孔３３と、が形成されている。
【００５４】
内周シール部２５内には、雄ねじ軸４の軸部２０が嵌合している。
そして図５において、二点鎖線で示す（弾性変形前の）内周シール部２５の内周面の半径（内半径）は、雄ねじ軸４の外周のうち、最も径方向内側に位置する部分の半径（雄ねじ軸４の外半径の最小値）以下とされている。本実施形態の例では、内周シール部２５内に嵌合する雄ねじ軸４の軸部２０のうち、最も径方向内側に位置する部分が面カット形状とされた非雄ねじ部２２であり、内周シール部２５の内周面の半径は、軸部２０の外周における非雄ねじ部２２の半径以下とされている。
【００５５】
このため、シール体２８の内周シール部２５内に雄ねじ軸４の軸部２０が嵌合したときに、内周シール部２５は弾性変形して、軸部２０に対して周方向の全周にわたって当接する。つまり、内周シール部２５の内周面は、周方向の全周にわたって弾性変形した状態で、軸部２０の外周に密に当接する。
【００５６】
本実施形態の例では、雄ねじ軸４の軸部２０の外周に、雄ねじ加工が施された雄ねじ部１９と、面カット形状（平面形状）とされた非雄ねじ部２２と、が周方向に交互に配置されている。従って、軸部２０の外周形状に対応して弾性変形した内周シール部２５の内周面には、雄ねじ部１９に対応する雌ねじ形状とされた雌ねじシール部（図５に実線で示す内周シール部２５の部分）と、非雄ねじ部２２に対応する面カット形状（平面形状）とされた非雌ねじシール部（図４に示す内周シール部２５の部分）と、が周方向に交互に配置される。
【００５７】
また、シール体２８の一対の係合孔３３内には、中皿本体２７の一対の係合筒３０が嵌合する。係合孔３３の内周面と、係合筒３０の外周面とは、互いに全周にわたって密に当接している。本実施形態の例では、係合筒３０の頂壁の上面と、シール体２８の上面とが、互いに略面一に配置されている。
【００５８】
シール体２８の外周には、周方向の全周にわたって延びる外周シール部２６が形成されている。本実施形態の例では、外周シール部２６が、シール体２８の外周における上下方向の両端部に一対配置されており、上下方向の両端部以外の部位よりも径方向外側へ向けて突出して形成されている。外周シール部２６は、容器本体３の内周面に対して、周方向の全周にわたって弾性変形した状態で密に当接する。
【００５９】
中皿５においてシール体２８は、雌ねじ部２４よりも容器軸Ｏ方向に沿う吐出口２側（つまり上方）に配置されている。本実施形態の例では、シール体２８が、中皿本体２７の頂壁の上方に配置され、雌ねじ部２４を有する雌ねじ筒２９が、中皿本体２７の頂壁の下方に配置されている。このため、シール体２８が有する内周シール部２５及び外周シール部２６は、雌ねじ部２４よりも上方に配置されている。
また、シール体２８の内周シール部２５及び外周シール部２６は、中皿５のうち、少なくとも容器軸Ｏ方向に沿う吐出口２側の端部（つまり上端部）に配置されている。
【００６０】
雌ねじ筒２９は、中皿本体２７に対して、上下方向、径方向及び周方向への移動が規制された状態で装着されている。雌ねじ筒２９の内周には、雌ねじ加工が施された雌ねじ部２４が周方向の全周にわたって形成されている。本実施形態の例では、雌ねじ部２４が、二条ねじである。雌ねじ筒２９の上端開口縁は、中皿本体２７の頂壁（の貫通孔３２周囲）に対して、その下方から当接している。
【００６１】
図３に示されるように、雌ねじ筒２９は、一対の雌ねじ筒支持爪３１同士の間に嵌合している。雌ねじ筒２９の外周面のうち、上下方向の両端部間に位置する中間部分には、下方を向く端面を有する段部が形成されており、該段部には、その下方から中皿本体２７の雌ねじ筒支持爪３１の内周突起が係合している。
【００６２】
図４に示されるように、雌ねじ筒２９は、中皿本体２７の周壁のうち、容器の横断面視で本体筒８の短手方向（図４における左右方向）の両端部に位置する部分同士の間に嵌合している。雌ねじ筒２９の外周面には、上下方向に延びる溝部が形成されており、該溝部内には、中皿本体２７の周壁の内周面において上下方向に延びるリブが挿入されて、これらが互いに周方向に係合している。
【００６３】
キャップ７は、有頂筒状をなしており、頂壁と周壁とを有している。容器軸Ｏに垂直な断面視で、キャップ７の周壁は、本体筒８の周壁の形状に対応する非真円形状をなしている。本実施形態の例では容器の横断面視において、本体筒８の周壁が八角形状（多角形筒状）に形成されているのに対応して、キャップ７の周壁も八角形状（多角形筒状）に形成されている。キャップ７の周壁は、本体筒８のキャップ嵌合部１１に対して嵌合する。
図１（ａ）、（ｂ）、図３及び図４に示されるように、キャップ嵌合部１１に対してキャップ７が嵌合したときに、本体筒８の周壁の外周面と、キャップ７の周壁の外周面とは、互いに略面一に配置される。
【００６４】
キャップ７の頂壁は、容器本体３の塗布筒９及び吐出口２をその上方から覆っている。キャップ７の頂壁には、容器軸Ｏ上に位置してシール筒３４が垂下設されており、該シール筒３４は、塗布筒９の吐出筒１５内（吐出口２）に嵌合している。
【００６５】
次に、液状内容物の回転繰出容器１の組立方法について、図６〜図８を参照して説明する。
図６に示されるように、軸支持筒１０内に中皿５を配置した状態で、軸支持筒１０の底壁にその下方から雄ねじ軸４を挿通し、該雄ねじ軸４の雄ねじ部１９を中皿５の雌ねじ部２４に螺着させて、操作部６を回転操作しつつ雄ねじ軸４を上方へ向けてねじ込んでいく。また、軸支持筒１０の底壁に対して雄ねじ軸４の筒部２１を上方へ向けて押し込んで、筒部２１の上端部を、軸支持爪１８を弾性変形させつつその上方に乗り越えさせる。すると、軸支持筒１０の軸支持爪１８は復元変形して、筒部２１の係止面２３に係止される。
このように、中皿５、雄ねじ軸４及び操作部６が装着された軸支持筒１０（機構部）を、本体筒８内にその下方から挿入していく。
【００６６】
軸支持筒１０の周壁が、本体筒８の周壁の軸支持筒嵌合部１２内に挿入されていき、図７に示されるように、軸支持筒１０の周壁の外周凸部３６が、軸支持筒嵌合部１２の内周凹部３５に係合する。またこのとき、フランジ１７が、本体筒８の下端開口縁に対してその下方から当接する。
【００６７】
この状態から操作部６を回転操作し、容器本体３に対して中皿５を上方移動させる。具体的には、図８に示されるように、シール体２８の外周シール部２６が、本体筒８の周壁の内周面のうち軸支持筒嵌合部１２以外の部位（軸支持筒嵌合部１２よりも上方の部位）に当接するまで、容器本体３に対して中皿５を上昇させる。本実施形態の例では、シール体２８の外周に上下方向に互いに離間して形成された一対の外周シール部２６が、両方ともに、本体筒８の周壁の内周面のうち軸支持筒嵌合部１２以外の部位における下端部に当接するように、容器本体３に対して中皿５が上方移動させられている。
これにより、本体筒８内に液状内容物が収容されたときに、軸支持筒１０と軸支持筒嵌合部１２との間を通して液漏れが生じることを防止できる。
次いで、容器本体３内に液状の内容物を収容し、該容器本体３の本体筒８に塗布筒９及びキャップ７を装着する。
【００６８】
この液状内容物の回転繰出容器１では、雄ねじ軸４の雄ねじ部１９に螺着する雌ねじ部２４が中皿５に備えられており、この中皿５は、容器本体３に対して容器軸Ｏ回りに回転することが規制されている。このため、容器本体３に対して雄ねじ軸４が容器軸Ｏ回りに回転させられると、ねじの作用により中皿５は、容器本体３内を容器軸Ｏ方向に沿って吐出口２側へ向けて安定して移動することができ、吐出口２から液状の内容物が吐出される。
【００６９】
以上説明した本実施形態の液状内容物の回転繰出容器１によれば、中皿５が、雌ねじ部２４よりも軟らかい例えばエラストマー等の弾性変形可能な材料（軟質材）からなる内周シール部２５を備えている。内周シール部２５は、雄ねじ軸４の外周に嵌合し、雄ねじ部１９に対して容器軸Ｏ回りに回転自在に当接しており、かつ、内周シール部２５の内周面の半径が、雄ねじ軸４の外周のうち、最も径方向内側に位置する部分の半径以下である。
【００７０】
このように、中皿５の内周シール部２５が弾性変形可能な軟質材で形成されていると、内周シール部２５は、雄ねじ軸４の外周に対して弾性変形した状態で圧接される。つまり、内周シール部２５が、雄ねじ軸４の外周の雄ねじ部１９や面カット形状の非雄ねじ部２２等に対応して弾性変形させられて、該内周シール部２５の内周面が全周にわたって、雄ねじ軸４の外周面に密接する。これにより、中皿５と雄ねじ軸４との間を通して、液状内容物が漏れ出るようなことが防止される。
【００７１】
さらに、内周シール部２５が、雄ねじ軸４の外周の雄ねじ部１９の形状に対応して、雌ねじ部のような形状に弾性変形させられることにより、該内周シール部２５に雌ねじ部としての機能を付与することができる。従って、上述した液漏れ防止の効果を奏しつつ、中皿５の容器軸Ｏ方向への移動をより安定化させることができる。
【００７２】
また、中皿５の外周シール部２６が弾性変形可能な材料（軟質材）で形成されているので、外周シール部２６は、容器本体３の内周に対して弾性変形した状態で圧接される。つまり、外周シール部２６が、容器本体３の内周の形状に対応して弾性変形させられて、該外周シール部２６の外周面が全周にわたって、容器本体３の内周面に密接する。これにより、中皿５と容器本体３との間を通して、液状内容物が漏れ出るようなことが防止される。
【００７３】
以上より本実施形態によれば、容器本体３に液状の内容物（特に粘度の低い液体等）を収容しても、液漏れを防止することが可能である。
【００７４】
また本実施形態では、容器軸Ｏに垂直な横断面視で、容器本体３及び中皿５が、非真円形状に形成されて互いに嵌合しているので、下記の作用効果を奏する。
すなわちこの場合、簡単な構成により、容器本体３に対する中皿５の容器軸Ｏ回りの回転を確実に規制することができる。
具体的に、例えば上記構成とは異なり、容器本体３及び中皿５を、容器軸Ｏに垂直な横断面視で真円形状に形成して互いに嵌合させ、容器本体３と中皿５との間に、容器軸Ｏ方向に延びるリブと溝とを係合させた回り止め手段等を設けるような場合に比べて、上記構成によれば構造を簡素化できる。
【００７５】
また本実施形態では、雄ねじ軸４の外周に、雄ねじ部１９と、雄ねじ部１９よりも半径が小さく、雄ねじ形状が付与されていない非雄ねじ部２２と、が容器軸Ｏ回りに沿って交互に配置されているので、内周シール部２５に、雄ねじ部１９に螺着する雌ねじ部としての機能を付与しつつ、非雄ねじ部２２との間で内周シール部２５のシール性を高めることができる。
【００７６】
また、雄ねじ軸４を割り型により成形することが可能になり、成形性がよい。
具体的に、例えば上記構成とは異なり、雄ねじ軸４の外周に全周にわたって雄ねじ部１９が形成されている場合には、成形型から雄ねじ軸４を取り外すために、雄ねじ軸４をその中心軸回りに回転させなければならない。一方、上記構成によれば、非雄ねじ部２２に割り型を摺接させつつスライド移動させることができるので、雄ねじ軸４を成形型から容易に取り外すことができ、成形性に優れる。
【００７７】
また本実施形態では、内周シール部２５及び外周シール部２６が、雌ねじ部２４よりも容器軸Ｏ方向に沿う吐出口２側（上方）に配置されているので、下記の作用効果を奏する。
すなわちこの場合、雌ねじ部２４が、中皿５のうち内周シール部２５及び外周シール部２６よりも容器軸Ｏ方向に沿う吐出口２とは反対側（下方）に配置され、つまり液状内容物に接触しにくい位置に配置されるため、雌ねじ部２４と雄ねじ部１９との螺着の繰り返しによる液状内容物への影響を抑えることができる。
【００７８】
また、内周シール部２５及び外周シール部２６が、中皿５のうち雌ねじ部２４よりも上方に配置され、つまり液状内容物に近い位置に配置されるため、内周シール部２５及び外周シール部２６のシール機能により、雌ねじ部２４のねじ作用が良好に維持される。
【００７９】
また本実施形態では、内周シール部２５及び外周シール部２６が、中皿５のうち、少なくとも容器軸Ｏ方向に沿う吐出口２側の端部（上端部）に配置されており、つまり最も液状内容物に近い位置に配置されるため、内周シール部２５及び外周シール部２６によるシール機能がより確実に奏功される。
【００８０】
また本実施形態では、互いに螺着される雄ねじ部１９と雌ねじ部２４とが、二条ねじであるため、一条ねじである構成と比べて、ねじのリードが大きくなる。すなわち、雄ねじ部１９と雌ねじ部２４との、容器軸Ｏ回りの相対的な単位回転量（例えば１回転）あたりの容器軸Ｏ方向へ向けた相対的な移動量（変位量）を、大きくすることができる。従って、操作部６を回転させることにより、容器本体３内において中皿５を速やかに容器軸Ｏ方向に移動させることができ、少ない回転量で多くの内容物を吐出口２から吐出させることができる。
【００８１】
なお、本発明は前述の実施の形態に限定されるものではなく、本発明の趣旨を逸脱しない範囲において種々の変更を加えることが可能である。
【００８２】
例えば、前述の実施形態では、中皿５において内周シール部２５及び外周シール部２６が、雌ねじ部２４よりも容器軸Ｏ方向に沿う吐出口２側（上方）に配置されており、中皿５のうち、少なくとも容器軸Ｏ方向に沿う吐出口２側の端部（上端部）に位置しているとしたが、これに限定されるものではない。すなわち、中皿５において内周シール部２５及び外周シール部２６は、雌ねじ部２４よりも容器軸Ｏ方向に沿う吐出口２とは反対側（下方）に配置されていてもよい。また、内周シール部２５及び外周シール部２６は、中皿５のうち、容器軸Ｏ方向に沿う吐出口２側の端部以外の部位にのみ配置されていてもよい。
【００８３】
また、前述の実施形態では、雄ねじ軸４の外周に、雄ねじ部１９と、雄ねじ部１９よりも半径が小さく、雄ねじ形状が付与されていない非雄ねじ部２２と、が容器軸Ｏ回りに沿って交互に配置されているとしたが、これに限定されるものではない。すなわち、雄ねじ軸４の外周には、少なくとも雄ねじ部１９が形成されていればよく、非雄ねじ部２２については形成されていなくてもよい。
【００８４】
また、非雄ねじ部２２の形状は、前述の実施形態で説明した面カット形状（平面形状）に限定されず、それ以外の例えば曲面形状等であってもよい。また、雄ねじ軸４の外周に、雄ねじ部１９及び非雄ねじ部２２がそれぞれ一対（２つ）設けられるとしたが、雄ねじ部１９及び非雄ねじ部２２の数はこれに限定されるものではなく、１つ（単数）や３つ以上の複数であってもよい。
【００８５】
また、前述の実施形態では、容器本体３及び中皿５を、容器軸Ｏに垂直な横断面視で非真円形状に形成して、互いに嵌合させることにより、容器本体３に対する中皿５の回転を規制する（中皿５が雄ねじ軸４と供回りすることを規制する）こととした。具体的に、前述の実施形態では、この非真円形状として、容器本体３の内周面及び中皿５の外周面を、容器の横断面視で八角形状（多角形状）に形成した一例を挙げて説明したが、これに限定されるものではない。すなわち、容器の横断面視における非真円形状には、例えば、上記八角形状以外の多角形状、楕円形状、真円形状の円周上の少なくとも一部に平面部や凹部、凸部等が形成された形状等、種々の形状が含まれる。
【００８６】
或いは、容器本体３及び中皿５を、容器軸Ｏに垂直な横断面視で真円形状に形成して互いに嵌合させ、容器本体３と中皿５との間に、容器軸Ｏ方向に延びるリブと溝とを係合させた回り止め手段等を設けることにより、容器本体３に対する中皿５の回転を規制することとしてもよい。
また、容器本体３及び中皿５を、容器軸Ｏに垂直な横断面視で真円形状に形成して互いに嵌合させ、中皿５と容器本体３との摩擦抵抗を、中皿５と雄ねじ軸４との摩擦抵抗よりも大きく設定することで、容器本体３に対する中皿５の回転を規制することとしてもよい。
【００８７】
その他、本発明の趣旨を逸脱しない範囲で、上記した実施の形態における構成要素を周知の構成要素に置き換えることは適宜可能であり、また、上記した実施形態及び変形例を適宜組み合わせてもよい。
【符号の説明】
【００８８】
１  液状内容物の回転繰出容器
２  吐出口
３  容器本体
４  雄ねじ軸
５  中皿
１９  雄ねじ部
２２  非雄ねじ部
２４  雌ねじ部
２５  内周シール部
２６  外周シール部
Ｏ  容器軸
【図１】
0006776008.tif 000002
【図２】
0006776008.tif 000003
【図３】
0006776008.tif 000004
【図４】
0006776008.tif 000005
【図５】
0006776008.tif 000006
【図６】
0006776008.tif 000007
【図７】
0006776008.tif 000008
【図８】
0006776008.tif 000009